(57)【要約】【課題】  携帯通信機を充電装置に装着している充電中であっても、アンテナによる良好な通信状態を維持することができる携帯通信機と充電装置の組合せ体を提供する。【解決手段】  携帯通信機１０と充電装置５２の組合せ体であって、携帯通信機１０を充電装置５２に装着させた状態において、携帯通信機１０のアンテナ部２６の周囲５ｍｍの範囲内に含まれる充電装置５２の領域内に、導電体の材料により形成された部材を配置しないようにし、導電体以外の材料により形成された部材２０，２２，５２ａ，５６のみを配置するようにしたことを特徴とするものである。【選択図】      図３
2006115286.tif 000002
【特許請求の範囲】
【請求項１】
携帯通信機と充電装置の組合せ体であって、
前記携帯通信機のアンテナ部の周囲５ｍｍの範囲内に含まれる前記充電装置の領域内に、導電体の材料により形成された部材を配置しないようにしたことを特徴とする携帯通信機と充電装置の組合せ体。
【請求項２】
前記アンテナは携帯通信機の筐体内に配置したことを特徴とする請求項１に記載の携帯通信機と充電装置の組合せ体。
【請求項３】
前記導電体は、位置決め装置、導電装置の少なくともいずれかの装置の構成部材であることを特徴とする請求項１または２に記載の携帯通信機と充電装置の組合せ体。
【発明の詳細な説明】
【技術分野】
【０００１】
本発明は、例えば携帯電話機等の携帯通信機と、その携帯通信機に設けられた充電可能な蓄電池を充電するための充電装置とを組み合わせた、携帯通信機と充電装置の組合せ体に関するものである。
【背景技術】
【０００２】
携帯電話機等の携帯通信機は、電力を供給源として充電することができる蓄電池が設けられており、その蓄電池を充電するときは携帯通信機を充電装置に装着して、電気的に接続してから充電することが必要となる。
【０００３】
従来、携帯電話機等の充電可能な蓄電池の充電は、夜間などの携帯電話機等の非使用時に行うことが多かったが、近年の音声や文字・映像等の情報を送受信するための通信頻度が増加し、例えば夜間に放送番組等の特定の情報を自動的にダウンロードする等の、多様で昼夜を問わない情報通信の要望もあったりして、携帯通信機を充電装置に装着して充電中であるときにおいても良好な通信状態を確保する必要性が大きくなってきた。
【０００４】
一方、特許文献１のように、携帯通信機を確実に充電装置に装着を行なうために、携帯通信機が充電装置内に沈み込むような形態の充電装置や、特許文献２のような内蔵アンテナを設けた携帯通信機も近年かなり多くなってきている。
【特許文献１】特開２００３−１８９４８３号公報
【特許文献２】特開２００１−２８４９３４号公報
【０００５】
例えば、図４ないし７は、上記のような新しい形態の携帯通信機と充電装置の組合せ体について説明するために参照する図である。
図４に示す充電装置１２は、その内側凹部１４内に携帯電話機１０（携帯通信機）を沈み込むような形態で装着するようになっている。
【０００６】
図５は、携帯電話機１０を充電装置１２の内側凹部１４内に装着する前の状態を示す携帯電話機１０の側面図と充電装置１２の断面図、図６は、携帯電話機１０を充電装置１２の内側凹部１４内に装着する途中の状態を示す図、図７は、携帯電話機１０を充電装置１２の内側凹部１４内に装着した状態を示す図を示したものである。
【０００７】
図５中の携帯電話機１０の右端下部には、充電装置１２が有するフック爪１６が係合可能なフック用穴１８が形成されている。携帯電話機１０のフック用穴１８の近傍内部には、内蔵アンテナ２６が設けられている。携帯電話機１０のフック用穴１８と反対側の図中左端下部には、充電装置１２が有する本体固定リブ２８に係合可能なリブ用穴３０が形成されている。
【０００８】
図５中の充電装置１２の内側凹部１４の右端部には、フック爪１６が覗いて見えるように配置され、このフック爪１６は内側方向と外側方向に交互に回動することができるように設けられている。フック爪１６の下方に連続して伸びる下端部は、支持部材２０の上端部にピン２２を介して回動可能に連結されており、さらに、フック爪１６を図中反時計回り方向に回動するように付勢する、金属（導電体）の材質のつる巻バネ２４（構成部材）が、ピン２２の回りに巻き付けて設けられている。
【０００９】
充電装置１２のケース１２ａ、支持部材２０、及び支点ピン２２は、導電体以外の材料（プラスチック等）により形成されている。
【００１０】
充電装置１２のフック爪１６より図中左方側（中央部寄り）にはボタン３２が、内側凹部１４の底板３７にあいた孔３７ａから上方に突出して覗くように配置されており、このボタン３２の下方には、回路基板３４上に実装された安全スイッチ３６の動作部３６ａが配置されている。この安全スイッチ３６にはスプリング等の金属の導電体が、構成部材として用いられている。
【００１１】
図５において、充電装置１２の左右方向中央部より本体固定リブ２８側には、充電端子３８が内側凹部１４の底板３７にあいた孔３７ｂから覗くと見える位置に配置されており、この充電端子３８は回路基板３４上に給電可能に実装されている。
【００１２】
回路基板３４はその両端部が交互に上下方向に揺動可能となるように、その図５中左右方向中央部が支点ピン４６を介して支持されており、回路基板３４の図中右端部は押圧バネ４０により常時上方に付勢されている。
【００１３】
また充電装置１２には、回路基板３４の図５中右端部に係止する係止部材４２が設けられており、この係止部材４２が回路基板３４の図５中右端部に係止することにより、押圧バネ４０の押圧力とボタン３２（底板３７）の反力により動作部３６ａが押されて、安全スイッチ３６が常時ＯＮの状態となるのを防止している。
【００１４】
このような充電装置１２に携帯電話機１０を装着する場合は、図６に示すように、まず携帯電話機１０のリブ用穴３０に充電装置１２の固定リブ２８を、携帯電話機１０を斜めにしながら挿入する。
【００１５】
それから図７に示すように、携帯電話機１０のフック用穴１８に充電装置１２のフック爪１６を係止させる。このときフック爪１６は、フック用穴１８に係止する直前に携帯電話機１０のケースに押されて、つる巻バネ２４に抗して時計回り方向に少し回動し、フック用穴１８が下降してきてこの位置と一致したときに、つる巻バネ２４により反時計回り方向に付勢されてフック用穴１８に嵌入して係止する。
【００１６】
このようにして携帯電話機１０が充電装置１２に装着されると、ボタン３２が携帯電話機１０のケース底面により押圧されて下降し、動作部３６ａを押して安全スイッチ３６をＯＮさせると共に、支点ピン４６を介して回路基板３４が揺動することにより、充電端子３８が上昇して携帯電話機１０内の蓄電池の露出充電端子４４に接触し、充電装置１２が充電動作を開始することができるようになっている。
【００１７】
ところで、安全スイッチ３６（導電装置）がＯＦＦとなっているときは、充電端子３８に電流が流れないので安全な状態となっており、安全スイッチ３６がＯＮとなったときは、充電端子３８に電流が流れて（導電されて）充電装置１２が充電動作可能な状態となる。
【発明の開示】
【発明が解決しようとする課題】
【００１８】
しかしながら、このような従来の携帯電話機１０と充電装置１２の組合せ体においては、携帯電話機１０を充電装置１２に装着している充電中の場合は、内蔵アンテナ２６の近傍に金属のつる巻バネ２４が配置される構造となっているので、充電中に無線交信をする場合はその金属のつる巻バネ２４により交信電磁波が乱され、内蔵アンテナ２６の通信性能が阻害されて交信に悪影響を与えるという問題があった。
【００１９】
そこで本発明は、上記問題点に鑑みて、携帯通信機を充電装置に装着している充電中であっても、アンテナによる良好な通信状態を維持することができる携帯通信機と充電装置の組合せ体を提供することを課題とするものである。
【００２０】
上記課題を解決するために本発明は、
携帯通信機と充電装置の組合せ体であって、
前記携帯通信機を前記充電装置に装着させた状態において、
前記携帯通信機のアンテナ部の周囲５ｍｍの範囲内に含まれる前記充電装置の領域内に、導電体の材料により形成された部材を配置しないようにしたことを特徴とするものである。
さらに好ましくは、前記アンテナ部の周囲２ｍｍの範囲内に含まれる前記充電装置の領域内に、導電体の材料により形成された部材を配置しないようにしたことを特徴とするものである。
【００２１】
また前記携帯通信機は、前記アンテナが携帯通信機の筐体内に配置したことを特徴とするものである。
【００２２】
また前記導電体は、位置決め装置、導電装置の少なくともいずれかの装置の構成部材であることを特徴とするものである。
【発明の効果】
【００２３】
このような構成の携帯通信機と充電装置の組合せ体によれば、携帯通信機を充電装置に装着している充電中であっても、アンテナによる良好な通信状態を維持することができる。
【発明を実施するための最良の形態】
【００２４】
以下、本発明の実施の形態について、図面に基づいて具体的に説明する。
図１ないし３は、本発明による携帯通信機と充電装置の組合せ体の一実施の形態について説明するために参照する図である。従来と同様の部品には同様の符号を付して説明し、従来と同様の構成の重複する説明は省略するものとする。
【００２５】
図１は、本発明の一実施の形態に係る携帯電話機１０（携帯通信機）を充電装置５２の内側凹部１４内に装着する前の、互に分離した状態を示す図である。
同図に示す携帯電話機１０は、前記従来の携帯電話機１０と同様の構成を有しているが、充電装置５２の方は、以下に説明するように、前記従来の充電装置１２とは異なる構成を有している。
【００２６】
従来の充電装置１２のフック爪１６はその下端部までまっすぐ伸びて形成されているだけであったのに対し、本実施の形態における充電装置５２のフック爪５６は、図１に示すように、その下端部までまっすぐ伸びて形成されているだけでなく、その下端部から９０°折れ曲がって伸びるアーム部５６ａが設けられた、Ｌ字状に形成されている点において異なっている。
【００２７】
そして、Ｌ字状のフック爪５６の９０°折れ曲がり部は、支点ピン２２を介して回動可能に支持部材２０に支持されている。そして、フック爪５６のアーム部５６ａの先端部は、充電装置５２の内側凹部１４の底板３７の裏面（下面）側に設けられた押圧コイルバネ５４（導電体）により、常時下方に押圧されている。
【００２８】
また、フック用穴１８，支持部材２０，支点ピン２２，及びフック爪５６は、充電装置５２における携帯電話機１０の位置決め装置を構成している。
また、充電装置５２のケース５２ａ，アーム部５６ａを有するフック爪５６，支持部材２０，及び支点ピン２２は、導電体以外の材料（プラスチック等）により形成されている。
【００２９】
このような充電装置５２に携帯電話機１０を装着するときは、従来と同様の手順で行われ、図２に示すように、まず携帯電話機１０のリブ用穴３０に充電装置５２の固定リブ２８を、携帯電話機１０を斜めにしながら挿入する。
【００３０】
それから図３に示すように、携帯電話機１０のフック用穴１８に充電装置５２のフック爪５６を係止させる。このときフック爪５６は、フック用穴１８に係合する直前に携帯電話機１０のケースに押されて、押圧コイルバネ５４に抗して時計回り方向に少し回動し、フック用穴１８が下降してきてその位置と一致したときに、押圧コイルバネ５４に付勢されて反時計回り方向に回動し、フック爪５６がフック用穴１８に嵌入して係合するようになっている。
【００３１】
このような携帯電話機１０と充電装置５２の組合せ体によれば、図３に示すように、携帯電話機１０を充電装置５２に装着したときに、充電装置５２のフック爪５６側の端部と押圧コイルバネ５４との間の導電体禁止領域Ｅ内にある、フック爪５６、支持部材２０、支点ピン２２、充電装置５２のケース５２ａ等のすべての部材は、導電体以外の材料（プラスチック等）により形成されたものだけが配置されている。
【００３２】
このため、携帯電話機１０の充電装置５２への装着による充電時における無線交信時に、導電体により交信電磁波が乱されることがないので、携帯電話機１０を充電装置５２により充電しているときでも内蔵アンテナ２６による良好な通信状態を維持することができる。
【００３３】
すなわち、内蔵アンテナ２６と押圧コイルバネ５４との間の距離は、従来の携帯電話機１０と充電装置１２の組合せ体における内蔵アンテナ２６とつる巻バネ２４との間の距離よりも大きく設定されている。ちなみに、内蔵アンテナ２６と押圧コイルバネ５４等の導電体とは、５ｍｍ以上離れていることが好ましい。
【００３４】
なお、前記実施の形態においては、携帯電話機１０に内蔵アンテナ２６が設けられた場合について説明したが、アンテナは、内蔵アンテナに限定する必要はなく、携帯電話機１０の外部に露出するアンテナを用いた携帯通信機にも本発明は適用することができる。
【００３５】
また、前記実施の形態においては押圧コイルバネ５４が内蔵アンテナ２６から５ｍｍ以上離れた場合について説明したが、安全スイッチ３６（導電装置）も内蔵アンテナ２６から５ｍｍ以上離れた方がよいことはいうまでもない。安全スイッチ３６にもスプリング等金属の導電体部材が用いられているからである。
【００３６】
また、前記実施の形態においては、分かり易くするために、ボタン３２が携帯電話機１０の底面に押されて引っ込むと、支点ピン４６を介して回路基板３４がシーソー状に揺動して、充電端子３８が外側に突出して露出端子部４４に接触するような構成について説明したが、回路基板３４は必ずしも揺動する必要はなく、ボタン３２が引っ込むと充電端子３８が外側に突出することができれば、他のどのような構成を用いてもよいことはいうまでもない。
【００３７】
また、前記実施の形態においては、送信出力が２００〜８００ｍＷ程度の携帯通信機として携帯電話機１０について説明したが、本発明に係る携帯通信機は携帯電話機に限定する必要は無く、本発明と同様の効果を有することができるものであれば、ＰＤＡ（Ｐｅｒｓｏｎａｌ  Ｄｉｇｉｔａｌ  Ａｓｓｉｓｔａｎｔ）のような、他の携帯通信機にも本発明は適用することができる。
【図面の簡単な説明】
【００３８】
【図１】本発明の一実施の形態に係る携帯電話機１０を充電装置５２に装着する前の互に分離した状態を示す携帯電話機１０の側面図と充電装置５２の側面断面図である。
【図２】携帯電話機１０を充電装置５２に装着する途中の状態を示す携帯電話機１０の側面図と充電装置５２の側面断面図である。
【図３】携帯電話機１０を充電装置５２に装着した状態を示す携帯電話機１０の側面図と充電装置５２の側面断面図である。
【図４】従来の携帯電話機１０と充電装置１２の組合せ体の携帯電話機１０が充電装置１２に装着される前の互に分離した状態を示す斜視図である。
【図５】図４に示す携帯電話機１０を充電装置１２に装着する前の互に分離した状態を示す携帯電話機１０の側面図と充電装置１２の側面断面図である。
【図６】携帯電話機１０を充電装置１２に装着する途中の状態を示す携帯電話機１０の側面図と充電装置１２の側面断面図である。
【図７】携帯電話機１０を充電装置１２に装着した状態を示す携帯電話機１０の側面図と充電装置１２の側面断面図である。
【符号の説明】
【００３９】
１０  携帯電話機
１２  充電装置
１４  内側凹部
１６  フック爪
１８  フック用穴
２０  支持部材
２２  ピン
２４  つる巻バネ
２６  内蔵アンテナ
２８  本体固定リブ
３０  リブ用穴
３２  ボタン
３４  回路基板
３６  安全スイッチ
３６ａ  動作部
３７  底板
３７ａ，３７ｂ  孔
３８  充電端子
４０  押圧バネ
４２  係止部材
４４  露出端子部
４６  支点ピン
５２  充電装置
５２ａ  ケース
５４  押圧コイルバネ
５６  フック爪
５６ａ  アーム部
Ｅ  導電体禁止領域
【図１】
2006115286.tif 000003
【図２】
2006115286.tif 000004
【図３】
2006115286.tif 000005
【図４】
2006115286.tif 000006
【図５】
2006115286.tif 000007
【図６】
2006115286.tif 000008
【図７】
2006115286.tif 000009